(57)【要約】【課題】被制御機器の有無に応じた態様の変更が可能なリモコンおよびトイレシステムを提供する。【解決手段】表示手段および入力手段を有し、入力手段に対応する操作が表示手段に表示されるリモコンであって、リモコンは、リモコンによって遠隔制御可能な被制御機器の操作が表示手段に表示されない第１状態において、被制御機器からリモコンへ一時的に無線通信を介して送信される第１信号を受信すると、被制御機器の操作が表示手段に表示される第２状態へ移行し、リモコンが第２状態のときには、リモコンと被制御機器との間で、リモコンから被制御機器への一方向の無線通信が行われ、リモコンは無線通信によって被制御機器を遠隔制御する。【選択図】図１
2018157400.tif 000002
【特許請求の範囲】
【請求項１】
表示手段および入力手段を有し、前記入力手段に対応する操作が前記表示手段に表示されるリモコンであって、
前記リモコンは、前記リモコンによって遠隔制御可能な被制御機器の操作が前記表示手段に表示されない第１状態において、前記被制御機器から前記リモコンへ一時的に無線通信を介して送信される第１信号を受信すると、前記被制御機器の操作が前記表示手段に表示される第２状態へ移行し、
前記リモコンが前記第２状態のときには、前記リモコンと前記被制御機器との間で、前記リモコンから前記被制御機器への一方向の無線通信が行われ、前記リモコンは前記無線通信によって前記被制御機器を遠隔制御するリモコン。
【請求項２】
請求項１記載のリモコンと、
便器に設けられ、前記リモコンによって遠隔制御される衛生洗浄装置と、
を備え、
前記リモコンは、前記第１状態において、他の機器とのペアリングを行うためのペアリングモードへ移行可能であり、
前記リモコンは、前記ペアリングモードにおいて前記第１信号を受信すると、前記ペアリングモードの終了後に前記第２状態へ移行するトイレシステム。
【請求項３】
請求項１記載のリモコンと、
便器に設けられ、前記リモコンによって遠隔制御される衛生洗浄装置と、
前記被制御機器と、
を備え、
前記リモコンは、前記被制御機器とのペアリングを行うための第２信号を前記被制御機器へ送信し、
前記被制御機器は、前記第２信号を受信すると、前記リモコンへ前記第１信号を一時的に送信するトイレシステム。
【請求項４】
前記リモコンは、前記第２信号を前記被制御機器へ送信した後に前記衛生洗浄装置とのペアリングを行うための第３信号を前記衛生洗浄装置へ送信し、
前記衛生洗浄装置は、前記第３信号を受信した後に、前記リモコンおよび前記被制御機器とのペアリングを行うための第４信号を前記リモコンおよび前記被制御機器へ送信する請求項３記載のトイレシステム。
【請求項５】
前記衛生洗浄装置は、前記第３信号を受信した後に、前記第４信号を送信して、他の機器とのペアリングを行うためのペアリングモードを終了し、
前記被制御機器は、前記第４信号を受信すると、他の機器とのペアリングを行うためのペアリングモードを終了し、
前記リモコンは、前記第４信号を受信すると、他の機器とのペアリングを行うためのペアリングモードを終了して前記第２状態へ移行する請求項３記載のトイレシステム。
【請求項６】
表示手段および入力手段を有し、前記入力手段に対応する操作が前記表示手段に表示されるリモコンと、
便器に設けられ、前記リモコンによって遠隔制御される衛生洗浄装置と、
を備え、
前記リモコンは、前記リモコンによって遠隔制御可能な被制御機器の操作が前記表示手段に表示されない第１状態において、前記被制御機器から前記リモコンへ無線通信を介して送信される第１信号を受信すると、前記被制御機器の操作が前記表示手段に表示される第２状態へ移行するトイレシステム。
【発明の詳細な説明】
【技術分野】
【０００１】
本発明の態様は、一般的に、リモコンおよびトイレシステムに関する。
【背景技術】
【０００２】
特許文献１には、トイレシステムの衛生洗浄装置とリモコンとをペアリングさせ、衛生洗浄装置をリモコンによって遠隔制御することが開示されている。また、近年では、衛生洗浄装置以外の機器もリモコンによって遠隔制御可能なトイレシステムが存在する。
【先行技術文献】
【特許文献】
【０００３】
【特許文献１】特開２０１６−５６６６３号公報
【発明の概要】
【発明が解決しようとする課題】
【０００４】
リモコンには、トイレシステムが備える機器に対応した操作手段が設けられることが望ましい。トイレシステムが備えていない機器の操作手段がリモコンに設けられていると、リモコンの使い勝手が悪くなったり、トイレシステムの使用者が困惑したりするためである。
【０００５】
そのための方法の１つとして、リモコンによって遠隔制御される被制御機器の有無に応じて、複数種類のリモコンを用意することが考えられる。しかしこの場合、リモコンの種類が多くなるため、リモコンの品番数の増加や在庫数の増加を招き、管理コストが増大してしまう。
【０００６】
本発明は、かかる課題の認識に基づいてなされたものであり、被制御機器の有無に応じた態様の変更が可能なリモコンおよびトイレシステムを提供することを目的とする。
【課題を解決するための手段】
【０００７】
第１の発明は、表示手段および入力手段を有し、前記入力手段に対応する操作が前記表示手段に表示されるリモコンであって、前記リモコンは、前記リモコンによって遠隔制御可能な被制御機器の操作が前記表示手段に表示されない第１状態において、前記被制御機器から前記リモコンへ一時的に無線通信を介して送信される第１信号を受信すると、前記被制御機器の操作が前記表示手段に表示される第２状態へ移行し、前記リモコンが前記第２状態のときには、前記リモコンと前記被制御機器との間で、前記リモコンから前記被制御機器への一方向の無線通信が行われ、前記リモコンは前記無線通信によって前記被制御機器を遠隔制御するリモコンである。
【０００８】
このリモコンによれば、被制御機器から送信される信号を受信することで表示手段に表示される内容が変化するため、被制御機器の有無に応じて複数のリモコンを用意する必要が無い。また、リモコンによって被制御機器を遠隔制御する第２状態では、リモコンから被制御機器への一方向の無線通信しか行われないが、このようなリモコンと被制御機器について、被制御機器から一時的に送信される信号をリモコンで受信し、リモコンを第１状態から第２状態へ変化させることで、手動でリモコンの設定を変更する必要が無く、リモコンの設定変更をより容易に行うことが可能である。
【０００９】
第２の発明は、第１の発明のリモコンと、便器に設けられ、前記リモコンによって遠隔制御される衛生洗浄装置と、を備え、前記リモコンは、前記第１状態において、他の機器とのペアリングを行うためのペアリングモードへ移行可能であり、前記リモコンは、前記ペアリングモードにおいて前記第１信号を受信すると、前記ペアリングモードの終了後に前記第２状態へ移行するトイレシステムである。
【００１０】
このトイレシステムによれば、リモコンと被制御機器および衛生洗浄装置とのペアリングを行いつつ、リモコンに被制御機器の有無を認識させることができる。トイレシステムのこれらの設定がまとめて行われることで、トイレシステムの設定に要する時間を短縮することができる。
【００１１】
第３の発明は、第１の発明のリモコンと、便器に設けられ、前記リモコンによって遠隔制御される衛生洗浄装置と、前記被制御機器と、を備え、前記リモコンは、前記被制御機器とのペアリングを行うための第２信号を前記被制御機器へ送信し、前記被制御機器は、前記第２信号を受信すると、前記リモコンへ前記第１信号を一時的に送信するトイレシステムである。
【００１２】
このトイレシステムによれば、リモコンと被制御機器とのペアリングを行いつつ、リモコンに被制御機器の有無を認識させることができる。トイレシステムのこれらの設定がまとめて行われることで、トイレシステムの設定に要する時間を短縮することができる。
【００１３】
第４の発明は、第３の発明において、前記リモコンは、前記第２信号を前記被制御機器へ送信した後に前記衛生洗浄装置とのペアリングを行うための第３信号を前記衛生洗浄装置へ送信し、前記衛生洗浄装置は、前記第３信号を受信した後に、前記リモコンおよび前記被制御機器とのペアリングを行うための第４信号を前記リモコンおよび前記被制御機器へ送信するトイレシステムである。
【００１４】
このトイレシステムによれば、衛生洗浄装置からリモコンおよび被制御機器へ第４信号が一斉に送信されるため、これらの機器のペアリングをより短い時間で完了させることができる。
【００１５】
第５の発明は、第３の発明において、前記衛生洗浄装置は、前記第３信号を受信した後に、前記第４信号を送信して、他の機器とのペアリングを行うためのペアリングモードを終了し、前記被制御機器は、前記第４信号を受信すると、他の機器とのペアリングを行うためのペアリングモードを終了し、前記リモコンは、前記第４信号を受信すると、他の機器とのペアリングを行うためのペアリングモードを終了して前記第２状態へ移行するトイレシステムである。
【００１６】
このトイレシステムによれば、衛生洗浄装置から一斉に送信される第４信号をペアリングモード終了の起点として用いるため、各機器がペアリングモードに移行している時間を短縮することができる。
【００１７】
第６の発明は、表示手段および入力手段を有し、前記入力手段に対応する操作が前記表示手段に表示されるリモコンと、便器に設けられ、前記リモコンによって遠隔制御される衛生洗浄装置と、を備え、前記リモコンは、前記リモコンによって遠隔制御可能な被制御機器の操作が前記表示手段に表示されない第１状態において、前記被制御機器から前記リモコンへ無線通信を介して送信される第１信号を受信すると、前記被制御機器の操作が前記表示手段に表示される第２状態へ移行するトイレシステムである。
【００１８】
このトイレシステムによれば、被制御機器から送信される信号を受信することで表示手段に表示される内容が変化するため、被制御機器の有無に応じて複数のリモコンを用意する必要が無い。
【発明の効果】
【００１９】
本発明の態様によれば、被制御機器の有無に応じた態様の変更が可能なリモコンおよびトイレシステムが提供される。
【図面の簡単な説明】
【００２０】
【図１】実施形態に係るトイレシステムを表す斜視図である。
【図２】実施形態に係るトイレシステムのトイレ装置を表す斜視図である。
【図３】実施形態に係るトイレシステムのトイレ装置を表す平面図である。
【図４】実施形態に係るリモコンを表す斜視図である。
【図５】実施形態に係るリモコンの表示手段および入力手段を例示する図である。
【図６】実施形態に係るトイレシステムの一部を表す断面図である。
【図７】実施形態に係るリモコンを用いた設定方法の一例を表す模式図である。
【図８】実施形態に係るリモコンを用いた設定方法の他の一例を表す模式図である。
【発明を実施するための形態】
【００２１】
以下、本発明の実施形態について図面を参照しつつ説明する。なお、各図面中、同様の構成要素には同一の符号を付して詳細な説明は適宜省略する。  
また、本願明細書においては、発明の説明のために、「上方」や、「下方」、「後方」などの方向を用いるが、これらは後述するトイレ装置１０に着座した使用者からみた場合を基準とするものである。
【００２２】
図１は、実施形態に係るトイレシステム１を表す斜視図である。
本実施形態に係るトイレシステム１は、例えば、トイレ装置１０、鏡２０、キャビネット３０、およびリモコン４０を備える。図１に表したように、トイレシステム１は、さらに、手洗い器５０などを備えていてもよい。トイレ装置１０、鏡２０、キャビネット３０、リモコン４０、手洗い器５０は、トイレ室ＴＲの内部に設けられている。
【００２３】
図２は、実施形態に係るトイレシステム１のトイレ装置１０を表す斜視図である。図３は、実施形態に係るトイレシステム１のトイレ装置１０を表す平面図である。
図２（ａ）は、便蓋１３を開けて、便座１２を下げたときの様子を表している。図２（ｂ）は、便蓋１３を開けて、便座１２を上げたときの様子を表している。
【００２４】
図２に表したように、トイレ装置１０は、便器１１と、便座１２と、便蓋１３と、衛生洗浄装置６０と、を有する。
【００２５】
便器１１は、例えば、トイレ室ＴＲの床面に設置されている。便座１２および便蓋１３は、便器１１の上に設けられ、便器１１に対して回動可能に設けられている。衛生洗浄装置６０は、図２（ｂ）に表したように、便器１１の後部に設けられている。
【００２６】
図２および図３に表したように、衛生洗浄装置６０は、カバープレート６１、洗浄ノズル６２、人体検知センサ６３、着座検知センサ６４、および制御部６５を有する。
【００２７】
制御部６５は、リモコン４０から送信される制御信号に基づき、例えば、洗浄ノズル６２を便器１１のボウル内に進出させたり、洗浄ノズル６２をボウルから後退させたりする。洗浄ノズル６２がボウル内に進出した状態で、使用者の「おしり」などの局部に向けて吐水口６２ａから吐水されることで、局部洗浄が行われる。なお、図２（ａ）では、洗浄ノズル６２が、ボウル内に進出した状態が表され、図２（ｂ）では、洗浄ノズル６２がカバープレート６１の下方に収納された状態が表されている。
【００２８】
人体検知センサ６３は、電波センサまたは赤外線センサなどであり、トイレ室ＴＲにおける人体の入室や退室を検知する。着座検知センサ６４は、スイッチ、または赤外線を用いた測距センサなどであり、便座１２における人体の着座や離座を検知する。
【００２９】
図２（ｂ）に表した例では、人体検知センサ６３は電波センサであり、カバープレート６１によって上方から覆われている。着座検知センサ６４は、着座時の荷重を検知するスイッチであり、便器１１に対する便座１２の軸支部分に設けられる。
【００３０】
人体検知センサ６３および着座検知センサ６４は、検知結果を制御部６５に送信する。制御部６５は、これらのセンサから送信された検知結果に基づき、トイレ室ＴＲに設けられた種々の機器の動作を制御する。
【００３１】
衛生洗浄装置６０は、これらの他に、洗浄ノズルから吐水される水を温める熱交換器や、使用者の局部を乾燥させるための送風ユニットなどを適宜有していてもよい。
【００３２】
図３に表したように、トイレ装置１０は、照明１４をさらに有する。照明１４は、便器１１の後部に設けられ、衛生洗浄装置６０の後方に位置している。照明１４は、点灯時にトイレ装置１０の後方に向けて光Ｌ１を放射し、トイレ装置１０の後方の壁を照らす。
【００３３】
図４は、実施形態に係るリモコン４０を表す斜視図である。図４（ａ）は、リモコン４０が閉じた状態を表し、図４（ｂ）は、リモコン４０が開いた状態を表す。
図４に例示したリモコン４０は、トイレ装置１０の未使用時にはキャビネット３０に収納されており、便座１２への着座が検知されると回動して開くように構成されている。
【００３４】
リモコン４０は、図４（ｂ）に表したように、表示手段４１、入力手段４２、および入力手段４３を有する。入力手段４２は、複数のスイッチを有し、表示手段４１には、それぞれのスイッチに対応した操作（アイコンや文字）が表示される。入力手段４３は、便器１１の洗浄を行うためのものである。入力手段４３は、大便時および小便時の洗浄にそれぞれ対応するスイッチ４３ａおよび４３ｂを有する。
【００３５】
図５は、実施形態に係るリモコン４０の表示手段４１および入力手段４２を例示する図である。
使用者は、表示手段４１に表示された操作に対応する入力手段４２のスイッチを押下することで、所定の動作を、衛生洗浄装置６０や他の機器に行わせることができる。
【００３６】
表示手段４１に表示される操作内容は、例えば図５（ａ）〜図５（ｃ）に表したように、複数の画面の間で切り替えることができる。一例として、図５（ａ）に表した画面において、使用者が「設定」に対応するスイッチ４２ａを押下すると、図５（ｂ）に表した画面に移行する。さらに、図５（ｂ）に表した画面において、使用者が「照明」に対応するスイッチ４２ｂを押下すると、図５（ｃ）に表した画面に移行する。
【００３７】
図５（ｃ）に表した画面では、後述する、トイレ室ＴＲに設けられた各照明の設定や操作を行うことができる。例えば、「おやすみ」に対応するスイッチを押下すると、表示手段４１には、「おやすみ」のモード時の各照明の光量や「おやすみ」のモードに移行する時間帯などの設定を行うことができる画面が表示される。「くつろぎ」は、深夜以外の日中などの時間帯における演出性の高いモードであり、「くつろぎ」に対応するスイッチを押下すると、表示手段４１には、「くつろぎ」のモード時の各照明の光量の設定を行うことができる画面が表示される。
【００３８】
図６は、実施形態に係るトイレシステム１の一部を表す断面図である。
鏡２０には、照明２１が設けられている。照明２１は、例えば、鏡２０とトイレ室ＴＲの壁面との間の下部に設けられている。照明２１は、下方に向けて光Ｌ２を放射し、キャビネット３０の上面や手洗い器５０近傍を照らす。
【００３９】
キャビネット３０には、照明３１が設けられている。キャビネット３０の下面には、カバー３２が設けられており、照明３１は、例えば、カバー３２の裏側に設けられている。照明３１は、キャビネット３０が取り付けられた壁面に向けて光Ｌ３を放射し、その反射光によってキャビネット３０下方の床面やトイレ室ＴＲ内の壁面が照らされる。
【００４０】
キャビネット３０には、紙巻器（ペーパホルダ）３５が設けられる。紙巻器３５の奥（キャビネット３０が取り付けられた壁面側）には、照明３６が設けられている。照明３６は、例えば、下方に向けて光を放射し、紙巻器３５近傍を照らす。
【００４１】
トイレシステム１が備える各照明は、人体検知センサ６３や着座検知センサ６４などの検知結果に応じて動作させることができる。一例として、人体検知センサ６３がトイレ室ＴＲへの人体の入室を検知すると、照明２１、照明３１、および照明３６が同時に点灯する。
【００４２】
さらに、トイレシステム１では、複数の照明の一部が、時間帯等に応じて点灯しないように設定されていても良い。例えば、複数の照明の一部が、深夜の時間帯に点灯しないように設定されていても良い。
【００４３】
照明２１および照明３１の動作や設定変更は、図５（ｃ）に表したように、リモコン４０の操作により行うことができる。これらの照明や衛生洗浄装置６０は、特定のリモコン４０から発せられる信号にのみ対応するよう、リモコン４０との間でペアリングが行われる。また、リモコン４０の表示手段４１には、トイレシステム１が備えるこれらの機器に応じた操作が表示されるように、リモコン４０の設定が行われる。
【００４４】
図７は、実施形態に係るリモコン４０を用いた設定方法の一例を表す模式図である。
実施形態に係るリモコン４０は、最初、照明２１および照明３１の操作が表示手段４１に表示されない第１状態にある。
【００４５】
リモコン４０が第１状態のときに、照明２１、照明３１、および衛生洗浄装置６０を、リモコン４０とのペアリングを行うためのモードに移行させる。例えば、照明２１および照明３１には、それぞれ、これらの照明をペアリングモードに移行させるための専用スイッチが設けられている。これらの専用スイッチを押下することで、照明２１および照明３１をペアリングモードに移行させることができる。また、衛生洗浄装置６０は、例えば、衛生洗浄装置６０が備える「流すスイッチ」を所定時間押下し続けることで、ペアリングモードに移行させることができる。
【００４６】
続いて、リモコン４０は、照明２１に向けて無線通信で信号（第２信号）を送信する。リモコン４０は、例えば、図５（ａ）に表した「止」に対応するスイッチを５回連続して押下することで、無線通信で信号（第２信号）を送信することができる。信号には、個々のリモコン４０に割り当てられた識別情報（ＩＤ）が含まれている。照明２１は、リモコン４０から送信された信号を受信すると、信号に含まれるリモコン４０の識別情報を登録する。リモコン４０は、照明２１に向けて無線通信で信号（第２信号）を送信するとともに、ペアリングモードへ移行する。
【００４７】
照明２１は、リモコン４０の識別情報を登録すると、リモコン４０に向けて、一時的に無線通信で信号（第１信号）を送信する。照明２１から送信される信号には、例えば、照明２１の識別情報が含まれている。リモコン４０は、照明２１から送信された信号を受信すると、信号に含まれる照明２１の識別情報を登録する。
【００４８】
次に、リモコン４０は照明３１に向けて無線通信で信号（第２信号）を送信する。照明３１は、リモコン４０から送信された信号を受信すると、信号に含まれるリモコン４０の識別情報を登録する。
【００４９】
照明３１は、リモコン４０の識別情報を登録すると、照明２１と同様に、リモコン４０に向けて一時的に無線通信で信号（第１信号）を送信する。照明３１から送信される信号には、例えば、照明３１の識別情報が含まれている。リモコン４０は、照明３１から送信された信号を受信すると、信号に含まれる照明３１の識別情報を登録する。
【００５０】
次に、リモコン４０は、衛生洗浄装置６０に向けて無線通信で信号（第３信号）を送信する。衛生洗浄装置６０は、リモコン４０から送信された信号を受信すると、信号に含まれるリモコン４０の識別情報を登録する。
【００５１】
衛生洗浄装置６０は、リモコン４０の識別情報を登録すると、照明２１、照明３１、およびリモコン４０に向けて無線通信で信号（第４信号）を一斉に送信する。衛生洗浄装置６０から送信される信号には、衛生洗浄装置６０の識別情報が含まれている。照明２１、照明３１、およびリモコン４０は、衛生洗浄装置６０から送信された信号を受信すると、信号に含まれる衛生洗浄装置６０の識別情報を登録する。
【００５２】
衛生洗浄装置６０は、照明２１、照明３１、およびリモコン４０に向けて信号（第４信号）を送信すると、ペアリングモードを終了し、通常のモードへ移行する。また、照明２１および照明３１は、衛生洗浄装置６０の識別情報を登録すると、ペアリングモードを終了し、通常のモードへ移行する。
【００５３】
リモコン４０は、衛生洗浄装置６０の識別情報を登録すると、ペアリングモードを終了し、第１状態から第２状態へ移行する。リモコン４０は、第２状態において、図５（ｂ）および図５（ｃ）に表したように、照明２１および照明３１の設定等が表示手段４１に表示される。
【００５４】
図８は、実施形態に係るリモコン４０を用いた設定方法の他の一例を表す模式図である。
図８に表した設定方法は、例えば、リモコン４０から、照明２１、照明３１、および衛生洗浄装置６０へ一斉に信号が送信される点で、図７に表した設定方法と異なる。
【００５５】
リモコン４０から照明２１、照明３１、および衛生洗浄装置６０へ信号（第２信号および第３信号）が送信されると、それぞれの機器でリモコン４０の識別情報が登録される。
【００５６】
各機器でリモコン４０の識別情報が登録されると、まず、照明２１からリモコン４０に向けて信号（第１信号）が送信される。次に、登録から第１時間Ｔ１の経過後に、照明３１からリモコン４０に向けて信号（第１信号）が送信される。続いて、登録から第２時間Ｔ２の経過後に、衛生洗浄装置６０から、リモコン４０、照明２１、および照明３１に向けて信号（第４信号）が送信される。第２時間Ｔ２は、第１時間Ｔ１よりも長い。その後、照明２１、照明３１、および衛生洗浄装置６０は、通常モードへ移行し、リモコン４０は、第１状態から第２状態へ移行する。
【００５７】
以上の方法により、リモコン４０の設定が行われるとともに、それぞれの機器の間でペアリングが行われる。なお、リモコン４０は、第１状態においてペアリングモードへ移行した後、所定時間の間にペアリングを行うための信号が受信されない場合は、ペアリングモードを解除し、第１状態における通常のモードへ移行する。同様に、照明２１、照明３１、および衛生洗浄装置６０も、ペアリングモードに移行した後、所定時間の間にペアリングを行う信号が受信されない場合、自動で通常モードへ移行する。
【００５８】
各機器は、ペアリングモードにあることを使用者に分かり易く示すように構成されていても良い。例えば、照明２１および照明３１は、ペアリングモードに移行するとそれぞれの照明が点滅し、さらに、ペアリングが完了すると点滅の周期が変化するように構成される。
【００５９】
一例として、照明２１および照明３１は、ペアリングモードに移行すると、それぞれの照明が１秒の点灯と１秒の消灯を交互に繰り返して点滅する。さらに、各照明は、ペアリングが完了すると、０．５秒の点灯と０．５秒の消灯を交互に繰り返して点滅する。
【００６０】
ここで、本発明の実施形態による効果について説明する。
本実施形態では、上述したように、リモコン４０が、照明２１や照明３１などの被制御機器から信号を受信すると、第１状態から第２状態へ移行する。すなわち、リモコン４０は、トイレシステム１が備える被制御機器の有無に応じて、表示手段４１に表示される操作が変化する。このため、本実施形態によれば、被制御機器の有無に応じて複数種類のリモコン４０を用意する必要が無く、管理コストを低減することが可能である。
【００６１】
なお、リモコン４０の第１状態は、ペアリング設定が必要なことを表示手段４１に表示させるものであっても良い。従来のトイレシステムのリモコンには、最初の起動時に、このようにペアリング設定が必要なことを表示手段に表示させるものがある。この従来のリモコンでは、ペアリングが完了すると、被制御機器の有無に拘わらず、被制御機器の操作が表示手段に表示されるか、表示されない状態に移行していた。これに対して、本実施形態によれば、上述したように、被制御機器の有無に応じて、表示手段４１に表示される操作を変化させることが可能である。
【００６２】
また、リモコン４０の第２状態においては、照明２１とリモコン４０との間、及び、照明３１とリモコン４０との間で、リモコン４０からこれらの照明への一方向のみの無線通信が行われ、これにより各照明がリモコン４０によって遠隔制御される。ただし、リモコン４０の設定を行うときは、被制御機器からリモコン４０へ一時的に無線通信が行われ、信号が送信される。そして、この一時的に送信される信号によって、リモコン４０に対して被制御機器の有無を認識させることができる。こうすることで、リモコン４０の設定を手動で変更する必要が無く、リモコン４０の設定変更をより容易に行うことができる。
【００６３】
さらに、図７および図８に表したように、それぞれの機器の間でペアリングを行う際に、併せてリモコン４０に被制御機器の有無を認識させるよう構成することで、トイレシステム１の必要な設定をまとめて行うことが可能となり、トイレシステム１の設定に要する時間を短縮することができる。
【００６４】
なお、各機器同士のペアリングの具体的方法は、図７および図８に例示した方法に限定されず、種々の変形が可能である。ただし、図７および図８に表したように、リモコン４０と、衛生洗浄装置６０以外と、のペアリングを行った後に、リモコン４０と衛生洗浄装置６０とのペアリングを行い、最後に衛生洗浄装置６０から他の機器に一斉に信号が送信されることが望ましい。
【００６５】
衛生洗浄装置６０から他の機器に一斉に信号が送信されることで、ペアリングをより短い時間で完了させることができる。また、各機器において、この信号の送受信をペアリングモード終了の起点として用いることで、各機器がペアリングモードに移行している時間を短縮し、より早く通常モードに移行することができるようになる。
【００６６】
また、図７および図８に表した設定方法は、リモコン４０とそれぞれの被制御機器（照明２１および照明３１）との間で信号の送受信を自動で順次行っていくため、より短い時間でペアリングおよびリモコン４０の設定を完了させることが可能である。
【００６７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレシステム１やトイレ装置１０、リモコン４０、衛生洗浄装置６０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６８】
１ トイレシステム、  １０ トイレ装置、  １１ 便器、  １２ 便座、  １３ 便蓋、  １４ 照明、  ２０ 鏡、  ２１ 照明、  ３０ キャビネット、  ３１ 照明、  ３２ カバー、  ３５ 紙巻器、  ３６ 照明、  ４０ リモコン、  ４１ 表示手段、  ４２ 入力手段、  ４２ａ、４２ｂ スイッチ、  ４３ 入力手段、  ４３ａ、４３ｂ スイッチ、  ５０ 手洗い器、  ６０ 衛生洗浄装置、  ６１ カバープレート、  ６２ 洗浄ノズル、  ６２ａ 吐水口、  ６３ 人体検知センサ、  ６４ 着座検知センサ、  ６５ 制御部、  ＴＲ トイレ室
【図１】
2018157400.tif 000003
【図２】
2018157400.tif 000004
【図３】
2018157400.tif 000005
【図４】
2018157400.tif 000006
【図５】
2018157400.tif 000007
【図６】
2018157400.tif 000008
【図７】
2018157400.tif 000009
【図８】
2018157400.tif 000010